(57)【要約】【課題】導光体が温度または湿度による膨張・収縮をしたとしても、光源と導光体の端部との位置関係を保つことができる照明装置を提供する。【解決手段】照明装置１０は、外周面に光取り出し領域４４を有し、少なくとも一方の端面が光入射面４１とされる棒状の導光体４０と、導光体４０の光入射面４１に向けて光を照射する光源３０と、導光体４０の撓みを許容した状態で、導光体４０の両端部の位置が固定されるように、導光体を支持する筐体２０（支持部）とを備えている。【選択図】図３
2020035602.tif 000002
【特許請求の範囲】
【請求項１】
外周面に光取り出し領域を有し、少なくとも一方の端面が光入射面とされる棒状の導光体と、
前記導光体の前記光入射面に向けて光を照射する光源と、
前記導光体の撓みを許容した状態で、前記導光体の両端部の位置が固定されるように、前記導光体を支持する支持部とを備える
照明装置。
【請求項２】
前記支持部は、前記導光体に対して当該導光体の軸方向に沿った圧縮力を付与した状態で、前記導光体を支持している
請求項１に記載の照明装置。
【請求項３】
前記支持部は、前記導光体の前記光入射面と前記光源との間に配置され、前記導光体に対して前記圧縮力を付与する光源保護部材を有する
請求項２に記載の照明装置。
【請求項４】
前記導光体が撓んだ際に、当該導光体の撓みを、前記導光体からの光の出射方向に案内するガイド部を備える
請求項１〜３のいずれか一項に記載の照明装置。
【請求項５】
前記導光体の光取り出し領域に対して重なるように配置された反射部材と、
前記導光体が撓んだ際に、前記光取り出し領域に対する前記反射部材の接触を維持する維持部とを有する
請求項１〜４のいずれか一項に記載の照明装置。
【請求項６】
前記維持部は、前記導光体が撓んだ際に、前記反射部材に沿って前記光取り出し領域がスライドするように、当該導光体を支持している
請求項５に記載の照明装置。
【請求項７】
前記導光体は、前記光取り出し領域を有する直線状の第一部位と、前記第一部位の一端部から連続し、先端面が前記光入射面をなす第二部位とを備え、
前記第二部位の少なくとも一部は曲がっている
請求項１〜６のいずれか一項に記載の照明装置。
【請求項８】
前記導光体は、当該導光体の軸方向での断面視における外形が略円形状であり、
当該導光体が撓んだ状態での曲率半径は、前記導光体の前記断面視での直径の５倍以上である
請求項１〜７のいずれか一項に記載の照明装置。
【請求項９】
前記導光体の一対の端面のそれぞれは前記光入射面であり、
前記光源は、一対の前記光入射面のそれぞれに対応するように複数設けられている
請求項１〜８のいずれか一項に記載の照明装置。
【発明の詳細な説明】
【技術分野】
【０００１】
本発明は、棒状の導光体を備える照明装置に関する。
【背景技術】
【０００２】
従来、光源が発した光を棒状の導光体の端部から入射して、導光体の外周面から放出する照明装置が知られている（例えば特許文献１参照）。
【先行技術文献】
【特許文献】
【０００３】
【特許文献１】特開２０１４−１９９７５２号公報
【発明の概要】
【発明が解決しようとする課題】
【０００４】
しかしながら、長尺状の導光体の長手方向の両端部の各々に光源を配置して導光体の長手方向の両端部から導光体に光を入射させた場合、熱又は水分等によって導光体が膨張又は収縮して光源から出射する光の導光体への入光効率が低下するという課題がある。
【０００５】
本発明は、このような課題を解決するためになされたものであり、長尺状の導光体の少なくとも一端部に光源を配置した場合であっても、光源から導光体に入射する光の入光効率が低下することを抑制することができる照明器具を提供することを目的とする。
【課題を解決するための手段】
【０００６】
上記課題を解決するために、本発明の一態様に係る照明装置は、外周面に光取り出し領域を有し、少なくとも一方の端面が光入射面とされる棒状の導光体と、導光体の光入射面に向けて光を照射する光源と、導光体の撓みを許容した状態で、導光体の両端部の位置が固定されるように、導光体を支持する支持部とを備える。
【発明の効果】
【０００７】
本発明によれば、導光体が膨張又は収縮をしたとしても、光源と導光体の端部との位置関係を維持可能な照明装置を提供することができる。
【図面の簡単な説明】
【０００８】
【図１】図１は、実施の形態に係る照明装置の斜視図である。
【図２】図２は、実施の形態に係る照明装置の断面図である。
【図３】図３は、実施の形態に係る照明装置の断面図である。
【図４】図４は、変形例１に係る照明装置の断面図である。
【図５】図５は、変形例２に係る照明装置の断面図である。
【図６】図６は、変形例３に係る照明装置の断面図である。
【発明を実施するための形態】
【０００９】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は、模式図であり、必ずしも厳密に図示されたものではない。また、各図において、実質的に同一の構成に対しては同一の符号を付しており、重複する説明は省略又は簡略化する。
【００１１】
以下、本発明の実施の形態に係る照明装置について説明する。
【００１２】
［構成］
まず、本発明の実施の形態に係る照明装置の構成について説明する。図１は、実施の形態に係る照明装置１０の斜視図である。図２は、実施の形態に係る照明装置１０の断面図である。図３は、実施の形態に係る照明装置１０の断面図である。具体的には、図２は、図３におけるＩＩ−ＩＩ切断線を含む切断面を見た断面図であり、図３は、図２におけるＩＩＩ−ＩＩＩ切断線を含む切断面を見た断面図である。本実施の形態では、照明装置１０は、建物の天井に設置され、照明装置１０の下方に向けて照明光が出射される場合を例示する。なお、照明装置１０の設置姿勢によっては、照明光の出射方向は下方とならないため、以降の説明で出現する「上下方向」、「左右方向」はあくまで一例である。
【００１３】
図１〜図３に示すように、照明装置１０は、筐体２０と、一対の光源３０と導光体４０と、反射部材５０とを備えている。なお、図１では、筐体２０を破線で図示している。
【００１４】
筐体２０は、一対の光源３０と、導光体４０と、反射部材５０とを収容している。筐体２０は、これら以外にも、外部の電源に電気的に接続された電源部（図示省略）を収容している。電源部は、一対の光源３０に対して電気的に接続されており、各光源３０に対して電力を供給する。具体的には、電源部は制御部を備えており、当該制御部が各光源３０に対する電力供給を制御することで、各光源３０の点灯及び消灯を制御する。制御部は、さらに各光源３０の調光調色制御も行うことが可能である。
【００１５】
筐体２０は、長尺な箱状に形成されており、その一部が透光性を有している。具体的には、筐体２０は、導光体４０の外周面に対向する部分が透光性を有している。導光体４０の外周面から放出された光は、筐体２０における透光性を有した部分を透過して、筐体２０の外方へと放出される。本実施の形態では、筐体２０における透光性を有した部分が開口である場合を例示するが、当該部分は透光性を有した部材で形成されていてもよい。透光性を有した部材としては、例えば透明部材、光拡散部材、レンズ部材などが挙げられる。
【００１６】
図２及び図３に示すように、筐体２０は、下方が開放された矩形箱状に形成されている。筐体２０内には、上から順に反射部材５０、導光体４０が配置されている。図２に示すように、導光体４０は、筐体２０の一対の長側壁２１によって直接的に挟まれた状態となっている。
【００１７】
また、図３に示すように、筐体２０の一対の短側壁２２には、それぞれ光源３０が固定されている。一対の光源３０は、それぞれ導光体４０の各端面に対して対向するように配置されている。
【００１８】
筐体２０は、温度または吸湿による膨張を起因とした導光体４０の撓みを許容した状態で、導光体４０の両端部の位置が固定されるように導光体４０を支持する支持部である。具体的には、筐体２０は、導光体４０を長手方向で挟む一対の光源保護部材２５を有している。各光源保護部材２５は、導光体４０と光源３０との間に介在することで、光源３０を保護する部材である。一対の光源保護部材２５のそれぞれは、筐体２０内において、各光源３０に対して所定の間隔をあけた位置に固定されている。一対の光源保護部材２５のそれぞれには、導光体４０の各光入射面４１が当接している。つまり、一対の光源保護部材２５は、導光体４０を長手方向で挟持している。各光源保護部材２５は、導光体４０が温度または吸湿による膨張を起因として膨張したとしても、当該光源保護部材２５が変形しない程度の剛性を有している。このため、光源保護部材２５は、導光体４０が光源３０に接触したり、光源保護部材２５自体が光源３０に接触することを防止している。このように、光源保護部材２５は光源３０を保護している。また、導光体４０は、一対の光源保護部材２５によって挟持されているために、当該導光体４０の両端部の位置は、筐体２０内で固定された状態となる。
【００１９】
一対の光源保護部材２５は、温度または吸湿による膨張以前の導光体４０に対して、当該導光体４０の軸方向における所定の圧縮力を付与した状態で、導光体４０を挟持している。所定の圧縮力とは、温度または吸湿による膨張以前の導光体４０をわずかに圧縮変形させる程度の圧縮力であればよい。このように予め導光体４０が圧縮変形されているので、導光体４０が熱膨張した際に当該導光体４０をスムーズに撓ませることができる。撓み時においては、導光体４０の撓みは、筐体２０の一対の長側壁２１によって下方に案内される。前述したように、筐体２０は、下方が開放されているために、導光体４０が撓んで下方に変位したとしても、当該撓みが規制されない。つまり、筐体２０は、導光体４０の撓みを許容した状態で当該導光体４０を収容している。
【００２０】
また、各光源保護部材２５には、光源３０の光軸方向に沿う貫通孔２６が形成されている。これにより、各光源３０からの光は、各光源保護部材２５の貫通孔２６を介して、導光体４０の各端面に入射することになる。以降、導光体４０の各端面を光入射面４１と称す。
【００２１】
光源３０は、基板と、発光素子とを備えている。基板は矩形状の基板であり、導光体４０の各光入射面４１に対向するように配置されている。基板における導光体４０の光入射面４１に対向する主面に発光素子が実装されている。
【００２２】
発光素子は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップが実装され、キャビティ内に蛍光体含有樹脂が封入されたパッケージ型のＬＥＤ素子である。なお、光源３０は、このような構成に限定されるものではなく、基板上にＬＥＤチップが直接的に実装されたＣＯＢ（Ｃｈｉｐ  Ｏｎ  Ｂｏａｒｄ）型の光源が用いられてもよい。また、光源３０が有する発光素子は、ＬＥＤ素子に限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬなどのＥＬ素子等その他の固体発光素子であってもよい。
【００２３】
反射部材５０は、導光体４０の光取り出し領域４４（後述）から漏れ出た光に対して反射性を有するシート状の光学部材である。具体的には、反射部材５０は、例えばアルミニウム（Ａｌ）などの光反射性を有する金属材料で形成されている。反射部材５０は、導光体４０の光取り出し領域４４に対して重なるように配置されている。反射部材５０は、導光体４０の光取り出し領域４４から漏れ出た光を反射して、再度、導光体４０内に入射させる。
【００２４】
次に、導光体４０について詳細に説明する。図２及び図３に示すように、導光体４０は、軸方向視の外形が概ね均一な棒状の導光体である。具体的には、導光体４０は、略円柱状の長尺で中密な導光体である。導光体４０は、ポリカーボネートや、アクリル樹脂などの透光性の樹脂から形成されているが、その他の透光性を有する材料から形成されていてもよい。
【００２５】
ここで、「略円柱状」とは、軸方向視の外形が円形を基準としたものとする。つまり、一見して円形が基準となっていることが認識できる形状であればよい。略円柱状には、軸方向視の外形が円形であるものだけでなく、円形の一部が切り欠かれた形状、円形の一部が突出した形状、または円形の外周縁に微小な凹凸が形成された形状が含まれるものとする。これらの形状は組み合わされていてもよい。また、円形には、楕円形、長円形を含めてもよい。本実施の形態では、導光体４０は、軸方向視において、円形の一部が切り欠かれた形状である場合を例示する。
【００２６】
導光体４０は、軸方向視において一部が切り欠かれた平面部４２と、円弧状の曲面部４３とを有している。曲面部４３は、全体として滑らかな曲面である。導光体４０は、筐体２０内において、平面部４２が上方を向き、曲面部４３が下方を向く姿勢で配置されている。
【００２７】
導光体４０の平面部４２には、導光体４０内を進行する光を反射して曲面部４３から外部に取り出すための光取り出し領域４４が設けられている。このため、光取り出し領域４４も平坦状である。図２では、平面部４２の一部に対して光取り出し領域４４が形成されている場合を図示しているが、平面部４２の全体に対して光取り出し領域４４が形成されていてもよい。光取り出し領域４４には、反射部材５０が接触するように重ねられている。導光体４０の平面部４２と反射部材５０との間には、導光体４０と反射部材５０とを接合する接着部６０が設けられている。接着部６０は、接着剤により形成されており、導光体４０に対して光学的な影響が小さい箇所に配置されている。導光体４０と反射部材５０とが接着部６０によって接合されているので、導光体４０が撓んだとしても、導光体４０と反射部材５０との接触が維持される。つまり、接着部６０は、導光体４０が撓んだ際に、光取り出し領域４４に対する反射部材５０の接触を維持する維持部である。
【００２８】
光取り出し領域４４には、導光体４０の内方に向けて凹む複数の凹部４５が行列状に配列されている。換言すると、光取り出し領域４４は、複数の凹部４５が形成された領域とも言える。
【００２９】
凹部４５は、平面視において点状のプリズムである。凹部４５の具体的形状としては、例えば、円錐台状、角錐台状、円錐体状、角錐体状などが挙げられる。なお、凹部４５は長尺な溝状のプリズムであってもよい。ここで、光取り出し領域４４に含まれる複数の凹部４５は、レーザ加工によって形成されるものである。光取り出し領域４４が平坦状であると、いずれの凹部４５を形成する際においてもレーザの焦点を合わせやすい。このため、複数の凹部４５を精度高く加工することができる。
【００３０】
導光体４０内を進行する光は、光取り出し領域４４の各凹部４５の内面で反射することで曲面部４３側へ向かい、最終的に曲面部４３から下方に出射して照明光となる。ところで、導光体４０内を進行する光の一部は、光取り出し領域４４で反射せずに透過して外方へと漏れてしまう。その光取り出し領域４４からの漏れ光は、反射部材５０で反射されて、再度、平面部４２から導光体４０内に進入する。光取り出し領域４４から進入した光は、導光体４０の曲面部４３から下方に向けて出射して、照明光となる。
【００３１】
また、導光体４０は、光源３０が点灯すると光源３０からの伝熱や周囲温度の上昇、または吸湿などによって膨張する。図２及び図３では、膨張後の導光体４０及び反射部材５０を二点鎖線Ｌ１で図示している。
【００３２】
導光体４０は、一対の光源保護部材２５によって挟持されているので、この温度または吸湿による膨張で導光体４０の中央部が、筐体２０の一対の長側壁２１に案内されながら下方へと撓む。撓みの方向は、照明光の出射方向と同じく下方であるので、撓み中あるいは撓み後においても、導光体４０は、幅方向（図２における左右方向）で撓み前と同じ位置から照明光を出射させることができる。また導光体４０がねじれて出射方向が変化することもない。つまり、一対の長側壁２１は、導光体４０からの光の出射方向に向けて導光体４０の撓みを案内するガイド部である。
【００３３】
また、反射部材５０は、接着部６０によって導光体４０に接合されているので、導光体４０の撓みに追従して撓むこととなる。つまり、導光体４０が撓んだとしても、反射部材５０と導光体４０の光取り出し領域４４との接触状態が維持されている。このため、温度または吸湿による膨張後においても、光取り出し領域４４からの漏れ光を反射部材５０で確実に反射して、再度導光体４０内に進入させることができる。
【００３４】
また、一対の光源保護部材２５は、導光体４０を挟持することで、筐体２０内での導光体４０の両端部の位置を固定している。これにより、導光体４０が温度または吸湿により膨張したとしても、導光体４０の一対の光入射面４１と、一対の光源３０との位置関係が維持される。
【００３５】
ここで、導光体４０が撓んだ状態での曲率半径ｒ１（図３参照）は、導光体４０の断面視での直径ｄ１（図２参照）の５倍以上であれば、ここで、「導光体４０が撓んだ状態での曲率半径」とは、光源３０からの伝熱によって、最も導光体４０が温度または吸湿により膨張した撓んだ状態での曲率半径である。この状態での曲率半径は、各種実験、またはシミュレーションなどを行うことによって、設計時点で推定することが可能である。導光体４０が急峻に湾曲してしまうと、当該部位から漏れ光が生じるおそれがあるが、曲率半径ｒ１と直径ｄ１とが上記の関係性を満たしていれば、撓んだ状態における導光体４０からの漏れ光を実質的に無視できる量に抑制することができる。
【００３６】
なお、光源３０が消灯した場合には、導光体４０に対する伝熱もなくなるために、導光体４０は収縮することになる。また、周囲温度が低下することによっても同様に導光体４０は収縮することになる。これにより、導光体４０の撓みが解消されて、導光体４０は元の形状に復元される。復元時においても、導光体４０の中央部が、筐体２０の一対の長側壁２１に案内されながら上方へと移動する。
【００３７】
［効果など］
以上のように、本実施の形態に係る照明装置１０は、外周面に光取り出し領域４４を有し、少なくとも一方の端面が光入射面４１とされる棒状の導光体４０と、導光体４０の光入射面４１に向けて光を照射する光源３０と、導光体４０の撓みを許容した状態で、導光体４０の両端部の位置が固定されるように、導光体を支持する筐体２０（支持部）とを備えている。
【００３８】
これによれば、筐体２０が、温度または湿度による膨張を起因とした導光体４０の撓みを許容した状態で、導光体４０の両端部の位置が固定されるように導光体４０を支持している。このため、光源３０からの伝熱によって導光体４０が撓んだとしても、導光体４０の光入射面４１と光源３０との位置関係を維持することができる。したがって、導光体４０の温度または湿度による膨張を起因とした照明光の配光特性の乱れを抑制することができる。
【００３９】
なお、上記実施の形態では、導光体４０が温度または湿度による膨張を起因として撓む場合を例示した。しかし、自重を起因として導光体４０が撓んだり、経年劣化を起因として導光体４０が撓んだとしても、導光体４０の両端部の位置が固定されているので、導光体４０の光入射面４１と光源３０との位置関係を維持することも可能である。
【００４０】
また、筐体２０は、導光体４０に対して当該導光体４０の軸方向に沿った圧縮力を付与した状態で、導光体４０を支持している。
【００４１】
これによれば、導光体４０は、筐体２０により所定の圧縮力が付与されているので、温度または湿度による膨張前には圧縮変形した状態となる。予め導光体４０が圧縮変形されていれば、導光体４０が熱膨張した際に当該導光体４０をスムーズに撓ませることができる。また逆に導光体４０が収縮した場合には、予め付与されている圧縮力の一部が開放され、撓みが小さくなり、前記と同様に配光特性への影響を抑制することが可能である。
【００４２】
また、筐体２０は、導光体４０の光入射面４１と光源３０との間に配置され、導光体４０に対して圧縮力を付与する光源保護部材２５を有している。
【００４３】
例えば、導光体４０の光入射面４１に対して光源３０を当接させることで、導光体４０に対して圧縮力を付与することも可能である。しかし、この場合、光源３０にも負荷が作用するため、光源３０を損傷させるおそれがある。上述したように、導光体４０の光入射面４１と光源３０との間に配置された光源保護部材２５が、導光体４０に対して圧縮力を付与しているので、光源３０を保護することができる。
【００４４】
また、照明装置１０は、導光体４０が撓んだ際に、当該導光体４０の撓みを、導光体４０からの光（照明光）の出射方向に案内する一対の長側壁２１（ガイド部）を備えている。
【００４５】
これによれば、一対の長側壁２１が導光体４０の撓みを照明光の出射方向に案内するので、撓み中あるいは撓み後においても、導光体４０は、幅方向（図２における左右方向）で撓み前と同じ位置から照明光を出射させることができる。さらに撓みによる導光体４０のねじれも抑制できるため、出射方向の変化も回避することが可能である。したがって、撓みの前後においても、照明光の出射性能を維持することができる。
【００４６】
また、照明装置１０は、導光体４０の光取り出し領域４４に対して重なるように配置された反射部材５０と、導光体４０が撓んだ際に、光取り出し領域４４に対する反射部材５０の接触を維持する接着部６０（維持部）とを有している。
【００４７】
これによれば、反射部材５０は、接着部６０によって導光体４０に接合されているので、導光体４０の撓みに追従して撓むこととなる。つまり、導光体４０が撓んだとしても、反射部材５０と導光体４０の光取り出し領域４４との接触状態が維持されている。このため、温度または湿度による膨張後においても、光取り出し領域４４からの漏れ光を反射部材５０で確実に反射して、再度導光体４０内に進入させることができる。したがって、導光体４０の温度または湿度による膨張を起因とした配光及び光学効率への影響を抑制することができる。
【００４８】
また、導光体４０は、当該導光体４０の軸方向での断面視における外形が略円形状であり、当該導光体４０が撓んだ状態での曲率半径ｒ１は、導光体４０の断面視での直径ｄ１の５倍以上である。
【００４９】
これによれば、曲率半径ｒ１と直径ｄ１とが上記の関係性を満たしていれば、撓んだ状態における導光体４０の曲げ量を小さくすることができる。したがって、導光体４０からの漏れ光を抑制することができ、導光体４０の温度または湿度による膨張又は収縮を起因とした配光及び光学効率への影響を抑制することができる。
【００５０】
また、導光体４０の一対の端面のそれぞれは光入射面４１であり、光源３０は、一対の光入射面４１のそれぞれに対応するように複数設けられている。
【００５１】
これによれば、一対の光入射面４１のそれぞれに対応するように光源３０が複数設けられている場合においても、筐体２０は、導光体４０の撓みを許容した状態で、導光体４０の両端部の位置が固定されるように導光体４０を支持している。したがって、導光体４０が撓んだとしても、複数の光源３０のそれぞれと、導光体４０の一対の光入射面４１のそれぞれとの位置関係を維持することができる。したがって、導光体４０の温度または湿度による膨張又は収縮を起因とした照明光の配光特性の乱れを抑制することができる。
【００５２】
［変形例１］
上記実施の形態では、維持部として、接着剤から形成された接着部６０を例示した。しかし、維持部では、接着以外の手法によって光取り出し領域に対する反射部材の接触を維持してもよい。変形例１では、反射部材５０ａの一部が導光体４０ａに嵌合することで、光取り出し領域に対する反射部材の接触を維持する場合について説明する。なお、以下の説明において、上記実施の形態と同一の部分においては、同一の符号を付して、その説明を省略する場合がある。
【００５３】
図４は、変形例１に係る照明装置１０Ａの断面図である。具体的には、図４は図２に対応する図である。図４に示すように、筐体２０ａは、一対の長側壁２１ａが導光体４０ａの直径よりも広い幅で対向配置されている。反射部材５０ａは、その両端部５０１ａが、一対の長側壁２１ａと導光体４０との間で下方に張り出している。反射部材５０ａの両端部５０１ａには、突起５０２ａが設けられており、この突起５０２ａが、導光体４０ａの外周面に形成された切欠き４９ａに嵌合している。これにより、反射部材５０ａは、導光体４０ａの撓みに追従して撓むこととなる。つまり、反射部材５０ａの突起５０２ａは、光取り出し領域４４に対する反射部材５０ａの接触を維持する維持部の一例である。なお、切欠き４９ａは、導光体４０ａにおける光学的な影響が小さい箇所に配置されていることがよい。
【００５４】
［変形例２］
上記実施の形態では、維持部として、接着剤から形成された接着部６０を例示した。しかし、維持部では、接着以外の手法によって光取り出し領域に対する反射部材の接触を維持してもよい。変形例２では、導光体４０が撓んだ際に、反射部材５０に沿って光取り出し領域４４がスライドすることで、光取り出し領域に対する反射部材の接触を維持する場合について説明する。なお、以下の説明において、上記実施の形態と同一の部分においては、同一の符号を付して、その説明を省略する場合がある。
【００５５】
図５は、変形例２に係る照明装置１０Ｂの断面図である。具体的には、図５は図２に対応する図である。図５に示すように、筐体２０ｂは、一対の長側壁２１ｂが導光体４０の直径よりも広い幅で対向配置されている。また、筐体２０ｂの下端部には、開放された部分を閉塞するカバー部材６１ｂが設けられている。カバー部材６１ｂは、例えば上述したような透光性を有した部材から形成されている。カバー部材６１ｂは、筐体２０ｂに固定された状態で、導光体４０の下端部に接触し、導光体４０を支持している。また、カバー部材６１ｂは、反射部材５０に対して平行に配置されている。導光体４０は、カバー部材６１ｂ及び反射部材５０に対して上下方向で挟まれているので、当該導光体４０の撓みは、カバー部材６１ｂ及び反射部材５０に沿いながら幅方向（図５における左右方向）に案内されることになる。図５では、温度または湿度による膨張後の導光体４０を二点鎖線Ｌ２で図示している。つまり、導光体４０の光取り出し領域４４も反射部材５０に沿って幅方向にスライドするため、光取り出し領域４４と反射部材５０との接触が維持される。このように、カバー部材６１ｂは、導光体４０が撓んだ際に、光取り出し領域４４に対する反射部材５０の接触を維持する維持部の一例である。
【００５６】
以上のように、カバー部材６１ｂは、導光体４０が撓んだ際に、反射部材５０に沿って光取り出し領域４４がスライドするように、当該導光体４０を支持している。
【００５７】
これによれば、導光体４０が撓んだ際に、反射部材５０に沿って光取り出し領域４４がスライドするので、反射部材５０と導光体４０の光取り出し領域４４との接触状態が維持されている。このため、温度または湿度による膨張後においても、光取り出し領域４４からの漏れ光を反射部材５０で確実に反射して、再度導光体４０内に進入させることができる。
【００５８】
また、反射部材５０に沿って光取り出し領域４４がスライドするので、導光体４０が撓んだとしても断面視において導光体４０が回転しない。これにより、導光体４０が撓んだとしても照明光の出射方向を維持することができる。
【００５９】
［変形例３］
上記実施の形態では、略円柱状の長尺な導光体４０を例示した。変形例３では、両端部が曲がった導光体４０ｃを例示して説明する。なお、以下の説明において、上記実施の形態と同一の部分においては、同一の符号を付して、その説明を省略する場合がある。
【００６０】
図６は、変形例３に係る照明装置１０Ｃの断面図である。具体的には、図６は図３に対応する図である。
【００６１】
図６に示すように、変形例３に係る照明装置１０Ｃに備わる導光体４０ｃは、両端部が曲がった略Ｕ字状の形状となっている。具体的には、導光体４０ｃは、第一部位４０１ｃと、一対の第二部位４０２ｃとを備えている。第一部位４０１ｃは、直線状に形成されており、その下端部が筐体２０ｃの開口に対向するように配置されている。また、第一部位４０１ｃの上端部は、平面部４２ｃとなっており、この平面部４２ｃには、光取り出し領域４４ｃが概ね全長にわたって形成されている。また、平面部４２ｃには、反射部材５０が光取り出し領域４４ｃが重なるように配置されている。
【００６２】
一対の第二部位４０２ｃは、第一部位４０１ｃの両端部から連続して伸び出ており、その途中で曲がっている。具体的には、一対の第二部位４０２ｃは、先端面が上方を向くように、その一部が外方に向けた凸形状に湾曲している。これにより、第二部位４０２ｃは、第一部位４０１ｃよりも形状的な観点から柔軟性を有することになる。
【００６３】
また、一対の第二部位４０２ｃのそれぞれの先端面に対向するように、筐体２０ｃ内には一対の光源３０が配置されている。一対の光源３０のそれぞれからの光は、一対の第二部位４０２ｃのそれぞれの先端面から当該第二部位４０２ｃ内に入射する。つまり、一対の第二部位４０２ｃのそれぞれの先端面は、光入射面４１ｃである。
【００６４】
また、照明装置１０Ｃに備わる筐体２０ｃは、上から順に、一対の光源３０、一対の光源保護部材２５及び導光体４０ｃを配置した状態でこれらが突出しない深さの収容凹部２９ｃを有している。各光源保護部材２５は、導光体４０ｃと光源３０との間に介在することで、光源３０を保護する部材である。一対の光源保護部材２５のそれぞれは、筐体２０内において、各光源３０に対して所定の間隔をあけた位置に固定されている。一対の光源保護部材２５のそれぞれは、導光体４０ｃの各光入射面４１ｃに当接し、当該導光体４０ｃを支持している。これにより、導光体４０ｃの両端部の位置が、筐体２０ｃ内で固定される。この状態で導光体４０ｃが光源３０からの熱によって膨張した場合には、第一部位４０１ｃは軸方向に伸長する。このとき、一対の第二部位４０２ｃでは、曲がった部分に応力が集中するため、当該曲がった部分が第一部位４０１ｃの伸長を吸収するように撓むこととなる（図６における二点鎖線Ｌ３参照）。したがって、光源３０からの伝熱によって導光体４０ｃが撓んだとしても、導光体４０ｃの光入射面４１ｃと光源３０との位置関係を維持することができる。なお、この撓んだ部分における曲率半径は、導光体４０ｃの断面視での直径の５倍以上であるとよい。具体的には、この撓んだ部分の内周部分の曲率半径が、導光体４０ｃの断面視での直径の５倍以上であるとよりよい。
【００６５】
ここで、筐体２０ｃの一対の長側壁２１ｃは、導光体４０ｃを直接挟んでおり、当該導光体４０ｃの一対の第二部位４０２ｃの撓みを、所定の方向（図６における紙面に平行な方向）に案内するようになっている。
【００６６】
以上のように、導光体４０ｃは、光取り出し領域４４ｃを有する直線状の第一部位４０１ｃと、第一部位４０１ｃの一端部から連続し、先端面が光入射面４１ｃをなす第二部位４０２ｃとを備え、第二部位４０２ｃの少なくとも一部は曲がっている。
【００６７】
これによれば、導光体４０ｃでは、第一部位４０１ｃに対して連続する第二部位４０２ｃの少なくとも一部が曲がっているので、温度または湿度による膨張時には第二部位４０２ｃにおける曲がった部分を撓ませて、第一部位４０１ｃの直線性を維持することができる。このため、第一部位４０１ｃの光取り出し領域４４ｃが変形しにくくなり、導光体４０ｃの温度または湿度による膨張を起因とした照明光の配光特性の乱れをより抑制することができる。
【００６８】
なお、変形例３では、第一部位４０１ｃと、一対の第二部位４０２ｃとが全体として一体成型されている場合を例示した。しかし、元々別体の第一部位と、一対の第二部位とを接合することで、一体化された導光体を形成してもよい。この場合、第一部位と、一対の第二部位とを異なる材料で形成することも可能である。このため、材質の観点から、第二部位を第一部位よりも柔軟に形成することも可能である。
【００６９】
また、変形例３では、略Ｕ字状の導光体４０ｃを例示したが、略Ｌ字状の導光体であってもよい。この場合、一つの導光体に対して第二部位は一つ設けられることになる。
【００７０】
［その他］
以上、本発明に係る照明装置について、上記実施の形態及び各変形例に基づいて説明したが、本発明は、上記の実施の形態及び各変形例に限定されるものではない。
【００７１】
例えば、上記実施の形態では、導光体４０の軸方向視形状が略円形状である場合を例示したが、各導光体の軸方向視形状は如何様でもよい。その他の形状としては、楕円形状、長円形状、多角形状などが挙げられる。導光体４０の軸方向視形状を調整することで、所望の配光の照明光を得ることが可能である。
【００７２】
また、上記実施の形態では、光取り出し領域４４が平坦状である場合を例示した。しかし、光取り出し領域は曲面状であってもよい。
【００７３】
また、上記実施の形態では導光体４０の各端面に対して光源３０が設けられている場合を例示したが、導光体の一端面に対してのみ光源が設けられていてもよい。また、導光体の各端面に対して複数の光源が配置されていてもよい。
【００７４】
また、上記実施の形態では、筐体２０が導光体４０の軸方向における所定の圧縮力を付与した状態で、導光体４０を支持している場合を例示した。しかし、筐体は、導光体の両端部の位置を固定しているのであれば、導光体に対して圧縮力を付与していなくてもよい。
【００７５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７６】
１０、１０Ａ、１０Ｂ、１０Ｃ  照明装置
２０、２０ａ、２０ｂ、２０ｃ  筐体（支持部）
２１  長側壁（ガイド部）
２５  光源保護部材
３０  光源
４０、４０ａ、４０ｂ、４０ｃ  導光体
４１、４１ｂ、４１ｃ  光入射面
４４、４４ｂ、４４ｃ  光取り出し領域
５０  反射部材
６０  接着部（維持部）
６１ａ  カバー部材（維持部）
４０１ｃ  第一部位
４０２ｃ  第二部位
５０２ａ  突起（維持部）
ｄ１  直径
ｒ１  曲率半径
【図１】
2020035602.tif 000003
【図２】
2020035602.tif 000004
【図３】
2020035602.tif 000005
【図４】
2020035602.tif 000006
【図５】
2020035602.tif 000007
【図６】
2020035602.tif 000008